【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
第１のユーザ機器（ＵＥ）のワイヤレス通信の方法であって、前記方法が、
前記第１のＵＥによって、ワイヤレスチャネル上の通信に関連する送信状態を決定することと、ここにおいて、前記送信状態は、前記第１のＵＥによって未使用であるリソース中に、干渉を検出することによって決定される、
前記第１のＵＥによって、前記送信状態に基づいて開ループ電力制御パラメータの少なくとも２つのセットのうちの開ループ電力制御パラメータのセットを選択することと、
前記第１のＵＥによって、開ループ電力制御パラメータの前記選択されたセットに基づく電力を用いて前記ワイヤレスチャネル上で送信することと
を備える、方法。
【請求項２】
パラメータの前記複数のセットのうちの各セットが、半静的ベース電力レベルに関連する第１のパラメータと、経路損失補償に関連する第２のパラメータとを備える、請求項１に記載の方法。
【請求項３】
前記ワイヤレスチャネル上の前記通信が、ワイヤレスワイドエリアネットワーク（ＷＷＡＮ）通信を通した基地局とのアップリンク通信を備える、請求項１に記載の方法。
【請求項４】
前記送信状態が、第２のＵＥによって行われるデバイスツーデバイス（Ｄ２Ｄ）通信に関連し、ここにおいて、前記ワイヤレスチャネル上の前記送信状態を前記決定することは、前記第１のＵＥが前記第２のＵＥへの干渉を引き起こしているかどうかを決定することを備える、請求項３に記載の方法。
【請求項５】
前記第１のＵＥが前記第２のＵＥへの干渉を引き起こしているかどうかを前記決定することは、前記第２のＵＥが、前記ＷＷＡＮ通信のために前記第１のＵＥによって使用されるべきリソースの同じセット上でＤ２Ｄ通信を通して通信しているかどうかを決定することを備え、
開ループ電力制御パラメータの前記セットを前記選択することは、
前記第２のＵＥが、前記ＷＷＡＮ通信のために前記第１のＵＥによって使用されるべきリソースの前記同じセット上で通信していると前記第１のＵＥが決定したとき、開ループ電力制御パラメータの第１のセットを選択することと、
前記第２のＵＥが、前記ＷＷＡＮ通信のために前記第１のＵＥによって使用されるべきリソースとは異なるリソースのセット上で通信していると前記第１のＵＥが決定したとき、開ループ電力制御パラメータの第２のセットを選択することと
を備え、
ここにおいて、開ループ電力制御パラメータの前記第２のセットが、開ループ電力制御パラメータの前記第１のセットとは異なる、
請求項４に記載の方法。
【請求項６】
前記送信状態が、デバイスツーデバイス（Ｄ２Ｄ）リソースとＷＷＡＮリソースとの間の、ネイバリング基地局における割振りに関連する、請求項３に記載の方法。
【請求項７】
開ループ電力制御パラメータの前記セットを前記選択することは、
前記ワイヤレスチャネル上の前記通信が、前記ネイバリング基地局の割り振られたＤ２Ｄリソースと重複する少なくとも１つのリソース上にあると前記第１のＵＥが決定したとき、開ループ電力制御パラメータの第１のセットを選択することと、
前記ワイヤレスチャネル上の前記通信が、前記ネイバリング基地局の割り振られたＷＷＡＮリソースと重複する少なくともリソース上にあると前記第１のＵＥが決定したとき、開ループ電力制御パラメータの第２のセットを選択することと
を備え、
ここにおいて、開ループ電力制御パラメータの前記第２のセットが、開ループ電力制御パラメータの前記第１のセットとは異なる、
請求項６に記載の方法。
【請求項８】
前記ワイヤレスチャネル上の前記通信が、第２のＵＥとのＤ２Ｄ通信を備える、請求項１に記載の方法。
【請求項９】
前記送信状態が、第３のＵＥによって行われるＷＷＡＮ通信に関連し、ここにおいて、前記ワイヤレスチャネル上の前記送信状態を前記決定することは、前記第３のＵＥが前記第１のＵＥへの干渉を引き起こしているかどうかを決定することを備える、請求項８に記載の方法。
【請求項１０】
前記第３のＵＥが干渉を引き起こしているかどうかを前記決定することは、前記第３のＵＥが、前記Ｄ２Ｄ通信のために前記第１のＵＥによって使用されるべきリソースの同じセット上で前記ＷＷＡＮを通して通信しているかどうかを決定することを備える、請求項９に記載の方法。
【請求項１１】
開ループ電力制御パラメータの前記セットを前記選択することは、
前記第３のＵＥが、前記Ｄ２Ｄ通信のために前記第１のＵＥによって使用されるべきリソースの前記同じセット上で通信していると前記第１のＵＥが決定したとき、開ループ電力制御パラメータの第１のセットを選択することと、
前記第３のＵＥが、前記Ｄ２Ｄ通信のために前記第１のＵＥによって使用されるべきリソースとは異なるリソースのセット上で通信していると前記第１のＵＥが決定したとき、開ループ電力制御パラメータの第２のセットを選択することと
を備え、
ここにおいて、開ループ電力制御パラメータの前記第２のセットが、開ループ電力制御パラメータの前記第１のセットとは異なる、
請求項１０に記載の方法。
【請求項１２】
前記Ｄ２Ｄ通信がＤ２Ｄ発見であり、前記送信することが、開ループ電力制御パラメータの前記選択されたセットに基づいてＤ２Ｄ発見のための発見信号を送信することを備える、請求項８に記載の方法。
【請求項１３】
前記Ｄ２Ｄ通信が、物理サイドリンク共有チャネル（ＰＳＳＣＨ）または物理サイドリンク制御チャネル（ＰＳＣＣＨ）を通しており、前記送信することが、開ループ電力制御パラメータの前記選択されたセットに基づいて前記ＰＳＳＣＨを通してデータを送信すること、または開ループ電力制御パラメータの前記選択されたセットに基づいて前記ＰＳＣＣＨを通して制御情報を送信することのうちの少なくとも１つを備える、請求項８に記載の方法。
【請求項１４】
第１のユーザ機器（ＵＥ）のためのワイヤレス通信のための装置であって、前記装置が、
前記第１のＵＥによって、ワイヤレスチャネル上の通信に関連する送信状態を決定するための手段と、ここにおいて、前記送信状態は、前記第１のＵＥによって未使用であるリソース中に、干渉を検出することによって決定される、
前記第１のＵＥによって、前記送信状態に基づいて開ループ電力制御パラメータの少なくとも２つのセットのうちの開ループ電力制御パラメータのセットを選択するための手段と、
前記第１のＵＥによって、開ループ電力制御パラメータの前記選択されたセットに基づく電力を用いて前記ワイヤレスチャネル上で送信するための手段と
を備える、装置。
【請求項１５】
第１のユーザ機器（ＵＥ）のためのワイヤレス通信のためのコンピュータ実行可能コードを記憶するコンピュータ可読媒体であって、
前記第１のＵＥによって、ワイヤレスチャネル上の通信に関連する送信状態を決定することと、ここにおいて、前記送信状態は、前記第１のＵＥによって未使用であるリソース中に、干渉を検出することによって決定される、
前記第１のＵＥによって、前記送信状態に基づいて開ループ電力制御パラメータの少なくとも２つのセットのうちの開ループ電力制御パラメータのセットを選択することと、
前記第１のＵＥによって、開ループ電力制御パラメータの前記選択されたセットに基づく電力を用いて前記ワイヤレスチャネル上で送信することと
を行うためのコードを備える、コンピュータ可読媒体。
【手続補正２】
【補正対象書類名】明細書
【補正対象項目名】０１１５
【補正方法】変更
【補正の内容】
【０１１５】
[00125]  以上の説明は、当業者が本明細書で説明された様々な態様を実施できるようにするために提供されるものである。これらの態様への様々な変更は当業者には容易に明らかであり、本明細書で定義された一般原理は他の態様に適用され得る。従って、特許請求の範囲は、本明細書で示された態様に限定されるものでなく、クレーム文言に矛盾しない全範囲を与えられるべきであり、ここにおいて、単数形の要素への言及は、そのように明記されていない限り、「唯一無二の」を意味するものでなく、「１つまたは複数の」を意味するものである。「例示的」という単語は、「例、事例、または例示の働きをすること」を意味するために本明細書で使用される。「例示的」として本明細書で説明されるいかなる態様も、必ずしも他の態様よりも好適または有利なものと解釈されるべきでない。別段に明記されていない限り、「いくつか」という用語は１つまたは複数を指す。「Ａ、Ｂ、またはＣのうちの少なくとも１つの」、「Ａ、Ｂ、およびＣのうちの少なくとも１つ」、「Ａ、Ｂ、Ｃ、またはそれらの任意の組合せ」のような組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、およびＣのうちの少なくとも１つ」、および「Ａ、Ｂ、Ｃ、またはそれらの任意の組合せ」のような組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明される様々な態様の要素の全ての構造的および機能的等価物は、参照により本明細書に明確に組み込まれ、特許請求の範囲に包含されるものである。さらに、本明細書で開示されるいかなることも、そのような開示が特許請求の範囲に明示的に記載されているか否かにかかわらず、公に供するものでない。いかなるクレーム要素も、その要素が「のための手段」という語句を使用して明確に具陳されていない限り、ミーンズプラスファンクションとして解釈されるべきでない。
以下に本願の出願当初の特許請求の範囲に記載された発明を付記する。
［Ｃ１］  第１のユーザ機器（ＵＥ）のワイヤレス通信の方法であって、前記方法が、
前記第１のＵＥによって、ワイヤレスチャネル上の通信に関連する送信状態を決定することと、
前記第１のＵＥによって、前記送信状態に基づいて開ループ電力制御パラメータの少なくとも２つのセットのうちの開ループ電力制御パラメータのセットを選択することと、
前記第１のＵＥによって、開ループ電力制御パラメータの前記選択されたセットに基づく電力を用いて前記ワイヤレスチャネル上で送信することと
を備える、方法。
［Ｃ２］  パラメータの前記複数のセットのうちの各セットが、半静的ベース電力レベルに関連する第１のパラメータと、経路損失補償に関連する第２のパラメータとを備える、Ｃ１に記載の方法。
［Ｃ３］  前記ワイヤレスチャネル上の前記通信が、ワイヤレスワイドエリアネットワーク（ＷＷＡＮ）通信を通した基地局とのアップリンク通信を備える、Ｃ１に記載の方法。
［Ｃ４］  前記送信状態が、第２のＵＥによって行われるデバイスツーデバイス（Ｄ２Ｄ）通信に関連し、ここにおいて、前記ワイヤレスチャネル上の前記送信状態を前記決定することは、前記第１のＵＥが前記第２のＵＥへの干渉を引き起こしているかどうかを決定することを備える、Ｃ３に記載の方法。
［Ｃ５］  前記第１のＵＥが前記第２のＵＥへの干渉を引き起こしているかどうかを前記決定することは、前記第２のＵＥが、前記ＷＷＡＮ通信のために前記第１のＵＥによって使用されるべきリソースの同じセット上でＤ２Ｄ通信を通して通信しているかどうかを決定することを備える、Ｃ４に記載の方法。
［Ｃ６］  開ループ電力制御パラメータの前記セットを前記選択することは、
前記第２のＵＥが、前記ＷＷＡＮ通信のために前記第１のＵＥによって使用されるべきリソースの前記同じセット上で通信していると前記第１のＵＥが決定したとき、開ループ電力制御パラメータの第１のセットを選択することと、
前記第２のＵＥが、前記ＷＷＡＮ通信のために前記第１のＵＥによって使用されるべきリソースとは異なるリソースのセット上で通信していると前記第１のＵＥが決定したとき、開ループ電力制御パラメータの第２のセットを選択することと
を備え、
ここにおいて、開ループ電力制御パラメータの前記第２のセットが、開ループ電力制御パラメータの前記第１のセットとは異なる、
Ｃ５に記載の方法。
［Ｃ７］  前記送信状態が、デバイスツーデバイス（Ｄ２Ｄ）リソースとネイバリング基地局のＷＷＡＮリソースとの間の割振りに関連する、Ｃ３に記載の方法。
［Ｃ８］  開ループ電力制御パラメータの前記セットを前記選択することは、
前記ワイヤレスチャネル上の前記通信が、前記ネイバリング基地局の割り振られたＤ２Ｄリソースと重複する少なくとも１つのリソース上にあると前記第１のＵＥが決定したとき、開ループ電力制御パラメータの第１のセットを選択することと、
前記ワイヤレスチャネル上の前記通信が、前記ネイバリング基地局の割り振られたＷＷＡＮリソースと重複する少なくともリソース上にあると前記第１のＵＥが決定したとき、開ループ電力制御パラメータの第２のセットを選択することと
を備え、
ここにおいて、開ループ電力制御パラメータの前記第２のセットが、開ループ電力制御パラメータの前記第１のセットとは異なる、
Ｃ７に記載の方法。
［Ｃ９］  前記ワイヤレスチャネル上の前記通信が、第２のＵＥとのＤ２Ｄ通信を備える、Ｃ１に記載の方法。
［Ｃ１０］  前記送信状態が、第３のＵＥによって行われるＷＷＡＮ通信に関連し、ここにおいて、前記ワイヤレスチャネル上の前記送信状態を前記決定することは、前記第３のＵＥが前記第１のＵＥへの干渉を引き起こしているかどうかを決定することを備える、Ｃ９に記載の方法。
［Ｃ１１］  前記第３のＵＥが干渉を引き起こしているかどうかを前記決定することは、前記第３のＵＥが、前記Ｄ２Ｄ通信のために前記第１のＵＥによって使用されるべきリソースの同じセット上で前記ＷＷＡＮを通して通信しているかどうかを決定することを備える、Ｃ１０に記載の方法。
［Ｃ１２］  開ループ電力制御パラメータの前記セットを前記選択することは、
前記第３のＵＥが、前記Ｄ２Ｄ通信のために前記第１のＵＥによって使用されるべきリソースの前記同じセット上で通信していると前記第１のＵＥが決定したとき、開ループ電力制御パラメータの第１のセットを選択することと、
前記第３のＵＥが、前記Ｄ２Ｄ通信のために前記第１のＵＥによって使用されるべきリソースとは異なるリソースのセット上で通信していると前記第１のＵＥが決定したとき、開ループ電力制御パラメータの第２のセットを選択することと
を備え、
ここにおいて、開ループ電力制御パラメータの前記第２のセットが、開ループ電力制御パラメータの前記第１のセットとは異なる、
Ｃ１１に記載の方法。
［Ｃ１３］  前記Ｄ２Ｄ通信がＤ２Ｄ発見であり、前記送信することが、開ループ電力制御パラメータの前記選択されたセットに基づいてＤ２Ｄ発見のための発見信号を送信することを備える、Ｃ９に記載の方法。
［Ｃ１４］  前記Ｄ２Ｄ通信が、物理サイドリンク共有チャネル（ＰＳＳＣＨ）または物理サイドリンク制御チャネル（ＰＳＣＣＨ）を通しており、前記送信することが、開ループ電力制御パラメータの前記選択されたセットに基づいて前記ＰＳＳＣＨを通してデータを送信すること、または開ループ電力制御パラメータの前記選択されたセットに基づいて前記ＰＳＣＣＨを通して制御情報を送信することのうちの少なくとも１つを備える、Ｃ９に記載の方法。
［Ｃ１５］  第１のユーザ機器（ＵＥ）のためのワイヤレス通信のための装置であって、前記装置が、
前記第１のＵＥによって、ワイヤレスチャネル上の通信に関連する送信状態を決定するための手段と、
前記第１のＵＥによって、前記送信状態に基づいて開ループ電力制御パラメータの少なくとも２つのセットのうちの開ループ電力制御パラメータのセットを選択するための手段と、
前記第１のＵＥによって、開ループ電力制御パラメータの前記選択されたセットに基づく電力を用いて前記ワイヤレスチャネル上で送信するための手段と
を備える、装置。
［Ｃ１６］  パラメータの前記複数のセットのうちの各セットが、半静的ベース電力レベルに関連する第１のパラメータと、経路損失補償に関連する第２のパラメータとを備える、Ｃ１５に記載の装置。
［Ｃ１７］  前記ワイヤレスチャネル上の前記通信が、ワイヤレスワイドエリアネットワーク（ＷＷＡＮ）通信を通した基地局とのアップリンク通信を備える、Ｃ１５に記載の装置。
［Ｃ１８］  前記送信状態が、第２のＵＥによって行われるデバイスツーデバイス（Ｄ２Ｄ）通信に関連し、ここにおいて、前記ワイヤレスチャネル上の前記送信状態を決定するための前記手段は、前記第１のＵＥが前記第２のＵＥへの干渉を引き起こしているかどうかを決定するように構成される、Ｃ１７に記載の装置。
［Ｃ１９］  前記第１のＵＥが前記第２のＵＥへの干渉を引き起こしているかどうかを決定するための前記手段は、前記第２のＵＥが、前記ＷＷＡＮ通信のために前記第１のＵＥによって使用されるべきリソースの同じセット上でＤ２Ｄ通信を通して通信しているかどうかを決定するように構成される、Ｃ１８に記載の装置。
［Ｃ２０］  前記送信状態が、デバイスツーデバイス（Ｄ２Ｄ）リソースとネイバリング基地局のＷＷＡＮリソースとの間の割振りに関連する、Ｃ１７に記載の装置。
［Ｃ２１］  前記ワイヤレスチャネル上の前記通信が、第２のＵＥとのＤ２Ｄ通信を備える、Ｃ１５に記載の装置。
［Ｃ２２］  前記送信状態が、第３のＵＥによって行われるＷＷＡＮ通信に関連し、ここにおいて、前記ワイヤレスチャネル上の前記送信状態を決定するための前記手段は、前記第３のＵＥが前記第１のＵＥへの干渉を引き起こしているかどうかを決定するように構成される、Ｃ１５に記載の装置。
［Ｃ２３］  前記第３のＵＥが干渉を引き起こしているかどうかを決定するための前記手段は、前記第３のＵＥが、前記Ｄ２Ｄ通信のために前記第１のＵＥによって使用されるべきリソースの同じセット上で前記ＷＷＡＮを通して通信しているかどうかを決定するように構成される、Ｃ２２に記載の装置。
［Ｃ２４］  前記Ｄ２Ｄ通信がＤ２Ｄ発見であり、送信するための前記手段が、開ループ電力制御パラメータの前記選択されたセットに基づいてＤ２Ｄ発見のための発見信号を送信するように構成される、Ｃ２２に記載の装置。
［Ｃ２５］  第１のユーザ機器（ＵＥ）のためのワイヤレス通信のための装置であって、前記装置が、
メモリと、
前記メモリに結合される少なくとも１つのプロセッサと
を備え、前記少なくとも１つのプロセッサが、
前記第１のＵＥによって、ワイヤレスチャネル上の通信に関連する送信状態を決定することと、
前記第１のＵＥによって、前記送信状態に基づいて開ループ電力制御パラメータの少なくとも２つのセットのうちの開ループ電力制御パラメータのセットを選択することと、    前記第１のＵＥによって、開ループ電力制御パラメータの前記選択されたセットに基づく電力を用いて前記ワイヤレスチャネル上で送信することと
を行うように構成される、
装置。
［Ｃ２６］  前記ワイヤレスチャネル上の前記通信が、ワイヤレスワイドエリアネットワーク（ＷＷＡＮ）通信を通した基地局とのアップリンク通信を備える、Ｃ２５に記載の装置。
［Ｃ２７］  前記送信状態が、第２のＵＥによって行われるデバイスツーデバイス（Ｄ２Ｄ）通信に関連し、ここにおいて、前記少なくとも１つのプロセッサは、前記第１のＵＥが前記第２のＵＥへの干渉を引き起こしているかどうかの決定に基づいて、前記ワイヤレスチャネル上の前記送信状態を決定するように構成される、Ｃ２６に記載の装置。
［Ｃ２８］  前記送信状態が、デバイスツーデバイス（Ｄ２Ｄ）リソースとネイバリング基地局のＷＷＡＮリソースとの間の割振りに関連する、Ｃ２６に記載の装置。
［Ｃ２９］  前記ワイヤレスチャネル上の前記通信が、第２のＵＥとのＤ２Ｄ通信を備える、Ｃ２５に記載の装置。
［Ｃ３０］  第１のユーザ機器（ＵＥ）のためのワイヤレス通信のためのコンピュータ実行可能コードを記憶するコンピュータ可読媒体であって、
前記第１のＵＥによって、ワイヤレスチャネル上の通信に関連する送信状態を決定することと、
前記第１のＵＥによって、前記送信状態に基づいて開ループ電力制御パラメータの少なくとも２つのセットのうちの開ループ電力制御パラメータのセットを選択することと、
前記第１のＵＥによって、開ループ電力制御パラメータの前記選択されたセットに基づく電力を用いて前記ワイヤレスチャネル上で送信することと
を行うためのコードを備える、コンピュータ可読媒体。